(57)【要約】  少なくとも１つの一体化された開口部を有する保護テキスタイルおよびその製造方法が提供される。スリーブは、両端部間において中心長手方向軸との関係において長さ方向に延びる編組された管状壁を含む。壁は、中心長手方向軸をほぼ横断する断面で見て、減少した長さで増加した断面積の第１の状態と、増加した長さで減少した断面積の第２の状態とを有する。壁は、さらに、壁に付勢を付与する編組されたヒートセットヤーンを含み、付勢は、壁を、外部からかけられる力がない場合に実質的に第１および第２の状態にとどめさせる。さらに、壁は、開口部を画定する周方向に連続した周縁部を有する少なくとも１つの開口部を含み、周縁部は、少なくとも部分的に、一方のＳまたはＺ螺旋方向から反対のＳまたはＺ螺旋方向に方向を反転する編組されたヤーンによって形成される。
2018532053.tif 000002
【特許請求の範囲】
【請求項１】
保護テキスタイルスリーブであって、
両端部間において中心長手方向軸との関係において長さ方向に延びる編組された管状壁を備え、
前記壁は、少なくとも１つの開口部が一体的に中に形成され、前記少なくとも１つの開口部は、周方向に連続した周縁部を有し、前記壁は、前記中心長手方向軸をほぼ横断する断面で見て、減少した長さで増加した断面積の第１の状態と、増加した長さで減少した断面積の第２の状態とを有し、前記壁は、さらに、前記壁に付勢を付与する編組されたヒートセットヤーンを含み、前記付勢は、外部からかけられる力がない場合に、前記壁を実質的に前記第１および第２の状態にとどめさせる、保護テキスタイルスリーブ。
【請求項２】
前記ヒートセットヤーンの少なくともいくつかは束状で編組され、前記束は互いに撚り合わされた複数のヤーンを含む、請求項１に記載の保護スリーブ。
【請求項３】
少なくともいくつかの前記束は、別の束のループと相互連結されたループを有する、請求項２に記載の保護スリーブ。
【請求項４】
前記束の少なくともいくつかは全体的に前記ヒートセットヤーンで形成されている、請求項３に記載の保護スリーブ。
【請求項５】
前記壁は非ヒートセット可能なヤーンを含む、請求項３に記載の保護スリーブ。
【請求項６】
前記非ヒートセット可能なヤーンの少なくともいくつかは前記ループの少なくともいくつかを通って延びる、請求項５に記載の保護スリーブ。
【請求項７】
前記非ヒートセット可能なヤーンの少なくともいくつかは、前記束の対間を共螺旋状に延びる、請求項６に記載の保護スリーブ。
【請求項８】
前記束の少なくともいくつかは、非ヒートセット可能なヤーンを含む、請求項３に記載の保護スリーブ。
【請求項９】
前記壁は非ヒートセット可能なヤーンを含む、請求項１に記載の保護スリーブ。
【請求項１０】
前記束は、ＳまたはＺの螺旋方向の一方にのみ延びている、請求項２に記載の保護スリーブ。
【請求項１１】
前記束は、ＳおよびＺの反対の螺旋方向に延びている、請求項２に記載の保護スリーブ。
【請求項１２】
前記壁は非円形の外周部を有する、請求項１に記載の保護スリーブ。
【請求項１３】
前記少なくとも１つの開口部は複数の開口部を含む、請求項１に記載の保護スリーブ。
【請求項１４】
前記壁は、前記スリーブの長さに沿って延びる対向する自由縁部を有する、請求項１に記載の保護スリーブ。
【請求項１５】
前記対向する自由縁部は、互いに重なる関係に付勢される、請求項１４に記載の保護スリーブ。
【請求項１６】
前記壁は、継ぎ目なしの周方向に連続する壁である、請求項１に記載の保護スリーブ。
【請求項１７】
テキスタイルスリーブを構築する方法であって、
複数のヤーンを互いに編組して、中心長手方向軸に沿って長さ方向に延びる壁を形成することを備え、前記ヤーンの少なくともいくつかは、ヒートセット可能なヤーンとして提供され、前記壁は、少なくとも１つの開口部が中に一体的に編組され、減少した長さで増加した断面積の第１の状態と、増加した長さで減少した断面積の第２の状態との間で移動可能であり、前記方法はさらに、
前記壁が前記第１の状態および前記第２の状態のうちの一方にある間に前記ヒートセット可能なヤーンをヒートセットして、前記ヒートセットヤーンを介して前記壁に付勢を与えることを備え、前記付勢は、前記壁を、前記第１および第２の状態の各々に、前記第１または第２の状態の他方に移動させる外部からかけられる軸方向の力がない場合において、とどめさせる、テキスタイルスリーブを構築する方法。
【請求項１８】
前記壁をレース編組機で編組することをさらに備える、請求項１７に記載の方法。
【請求項１９】
前記壁を継ぎ目の周方向に連続した壁として編組することをさらに備える、請求項１７に記載の方法。
【請求項２０】
前記壁を、前記対向する自由縁部を有する実質的に平坦な層として編組することをさらに備える、請求項１７に記載の方法。
【請求項２１】
前記壁をマンドレルの周りに巻付け、次いで前記ヒートセットすることを行うことをさらに備える、請求項２０に記載の方法。
【請求項２２】
非ヒートセット可能なヤーンを含む前記壁を形成することをさらに備える、請求項１７に記載の方法。
【請求項２３】
互いに撚り合わされたヤーンの束として前記ヤーンの少なくともいくつかを形成することをさらに備える、請求項１７に記載の方法。
【請求項２４】
前記束の少なくともいくつかを、全体的に、ヒートセット可能なヤーンで形成することをさらに備える、請求項２３に記載の方法。
【請求項２５】
前記束の少なくともいくつかを、非ヒートセット可能なヤーン含んで形成することをさらに備える、請求項２３に記載の方法。
【請求項２６】
１つの束のループを別の束のループと相互連結させて、それらの束を互いに相互固定することをさらに備える、請求項２３に記載の方法。
【請求項２７】
前記少なくとも１つの開口部を複数の開口部として形成することをさらに備える、請求項１７に記載の方法。
【発明の詳細な説明】
【技術分野】
【０００１】
関連出願への相互参照
本出願は、２０１５年１０月３０日に出願された米国仮出願連続番号第６２／２４８，８８８号および２０１６年１０月２８日に出願された米国実用新案出願連続番号第１５／３３７，７５０号の利益を主張するものであり、それらの全体をここに引用により援用する。
【０００２】
発明の背景
１．技術分野
本発明は、一般的にテキスタイルスリーブに関し、より詳細には、編組テキスタイルスリーブに関する。
【背景技術】
【０００３】
２．関連技術
編成、織製もしくは編組スリーブでのように、細長い部材をさまざまな環境条件および影響に対してテキスタイルスリーブで保護するか、または結束および引き回し目的で細長い部材を単にテキスタイルスリーブに入れることが知られている。編組スリーブの場合、編組壁は、一般に、「閉鎖」壁と呼ばれることがある周方向に連続した継ぎ目のない壁として編組されている。閉鎖された編組壁構造の１つの既知の利点は、壁の両端を手で押して圧縮された状態で物理的に保持することによって壁を細長い部材上で滑りやすくするように、壁が周方向に拡張できるということである。両端を互いに向かって押し、壁を軸方向に圧縮した状態で手で保持することにより、編組壁は、増加した直径および低減された長さを呈する。増加した直径の状態にあるとき、壁は細長い部材の上に容易に配置することができる。次に、スリーブが細長い部材の上に設置された後、設置者は壁を解放することができ、両端は自動的に互いから軸方向に離れるように撥ね、それにより、周方向に低減された直径および増加した長さを呈する。
【０００４】
編組壁の直径を増減させる前述の能力は、織製スリーブのようないくつかの他の公知のタイプのスリーブ構造を超える利点を有するが、潜在的な欠点がある。すなわち、編組スリーブの直径を手で増加させる能力は、設置中に連続して外部から加えられる圧縮力を加えることを必要とし、それは困難であると分かり、したがって、設置者が細長い部材の上にスリーブを容易に設置する能力を複雑にし得る。編組スリーブが比較的長い場合、編組スリーブの設置をさらに複雑にする。比較的長いスリーブでは、スリーブをその長さに沿って折り曲げたり座屈させたりすることなく両端を互い向かってに軸方向に圧縮する必要があり、困難になる。さらに、スリーブに、その長くされた、縮径された状態を回復させるよう、壁を解放すると、壁は、交絡されたヤーンとヤーンとの間の摩擦により生じるパターン保持現象のために、その軸方向に圧縮された構成に向かって少なくとも部分的に撥ね戻る。したがって、スリーブの有効長さが意図せず減少する可能性がある。
【０００５】
さらに、スリーブの側壁において開口部を引き伸ばす、切断する、または引き裂くことによって、ＹまたはＴ形コネクタなどの、ワイヤの分枝および分枝されたワイヤ接続部に対するアクセスを提供することが知られている。残念なことに、開口部を形成するためにヤーンを引き伸ばすことは、時間がかかり、不注意にヤーンを壊す結果を招くことがあり、一方、側壁を切断すると、典型的には、ほつれた、緩んだヤーンをもたらす結果となり、それは、見苦しく見えるだけでなく、時間の経過とともに開口部が拡大し、それによって内容物が汚染されることを許すことによって、スリーブの有効寿命を減少させ得る。分枝および分枝された接続部を複数のスリーブで束ねることにより、スリーブ壁に開口部を形成する必要がなくなると共に、分枝の周りにテープを使用することが、さらに知られている。これは有用であることは明らかであるが、時間がかかり、扱いにくく、上で説明したように、特にテープが緩む場合は、魅力のない外見をもたらす結果となり得る。さらに、コストの増加は、一般に、複数のスリーブおよび／またはテープを使用する必要があることに関連付けられる。
【発明の概要】
【課題を解決するための手段】
【０００６】
本発明の一態様によれば、少なくとも１つの一体化された開口部を有する保護テキスタイルが提供される。スリーブは、対向する端部間において中心長手方向軸との関係において長さ方向に延びる編組された管状壁を含む。壁は、中心長手方向軸をほぼ横断する断面で見て、減少した長さで増加した断面積の第１の状態と、増加した長さで減少した断面積の第２の状態とを有する。壁は、さらに、壁に付勢を付与する編組されたヒートセットヤーンを含み、付勢は、外部からかけられる力がない場合に壁を実質的に第１および第２の状態にとどめさせる。さらに、壁は、開口部を画定する周方向に連続した周縁部を有する少なくとも１つの開口部を含み、周縁部は、少なくとも部分的に、一方のＳまたはＺ螺旋方向から反対のＳまたはＺ螺旋方向に方向を反転する編組されたヤーンによって形成される。
【０００７】
本発明の別の態様によれば、壁は複数の一体化された開口部を含むことができる。
本発明の別の態様によれば、複数の一体化された開口部は、スリーブの長さに沿って互いに対して任意の所望の位置に形成することができる。
【０００８】
本発明の別の態様によれば、複数の一体化された開口部は、互いと周方向に離間し、径方向に共面の関係で形成することができる。
【０００９】
本発明の別の態様によれば、複数の一体化された開口部は、互いから、軸方向に整列され、および／または周方向にオフセットされた関係で、軸方向に離間されることができる。
【００１０】
本発明の別の態様によれば、壁は周方向に連続した継ぎ目のない壁であってもよい。
本発明の別の態様によれば、壁は、長さ方向に延びる対向する縁部が両端部間を延び、対向する縁部はヒートセットヤーンによって互いと重なる関係に付勢される。
【００１１】
本発明の別の態様によれば、ヒートセットヤーンの少なくともいくつかは束状で編組されることができ、束は互いに撚り合わされた複数のヤーンを含むことができる。
【００１２】
本発明の別の態様によれば、少なくともいくつかの束は、別の束のループと相互連結されたループを有することができる。
【００１３】
本発明の別の態様によれば、撚られたヤーンの束の少なくともいくつかは全体的にヒートセットヤーンで形成されることができる。
【００１４】
本発明の別の態様によれば、撚られたヤーンの束の少なくともいくつかは、非ヒートセット可能なヤーンを含むことができる。
【００１５】
本発明の別の態様によれば、撚られたヤーンの束の少なくともいくつかは、全体的に、非ヒートセット可能なヤーンで形成することができる。
【００１６】
本発明の別の態様によれば、壁は、撚られたヤーンの束の少なくともいくつかのループを通って交絡された非ヒートセット可能なヤーンを含むことができる。
【００１７】
本発明の別の態様によれば、壁は、撚られたヤーンの束の少なくともいくつかのループを通って交絡された複数の非ヒートセット可能なヤーンを含むことができる。
【００１８】
本発明の別の態様によれば、撚られたヤーンの束の少なくともいくつかのループを通って交絡された非ヒートセット可能なヤーンは、並置関係で配置された複数の非ヒートセット可能なヤーンを含む束として提供することができ、束は互いとともに共通のループを通って延びている。
【００１９】
本発明の別の態様によれば、壁は、単一の螺旋方向にのみ編組されたヒートセット可能な撚られたヤーンの束を含むことができ、それによって、スリーブの材料含量の重量およびコストを低減する。
【００２０】
本発明の別の態様によれば、ヤーンの少なくともいくつかは、ヒートセットされたモノフィラメントヤーンとともに撚られるかまたは供される非ヒートセット可能なマルチフィラメントヤーンを含むことができ、それにより、壁によって提供されるカバレージ保護を高めることができる。
【００２１】
本発明の別の態様によれば、壁は、ヒートセットヤーンによって付与される付勢を克服すると、第１の状態と第２の状態との間で弾かれてとどまることができる。
【００２２】
本発明の別の態様によれば、壁は、長さが減少した第１の状態における第１の直径と、長さが増加した第２の状態における第２の直径とを有することができ、第１の直径は第２の直径より大きい。
【００２３】
本発明の別の態様によれば、壁は非円形の外周部を有することができ、それによって、壁が、同様に成形された非円形の構成要素に適合することを可能にする。
【００２４】
本発明の別の態様によれば、対向する自由縁部は、互いに重なる関係に付勢されることができる。
【００２５】
本発明の別の態様によれば、巻付可能なテキスタイルスリーブを構築する方法が提供される。本方法は、複数のヤーンを互いに編組して、中心長手方向軸に沿って長さ方向に延びる壁を形成することを備え、ヤーンの少なくともいくつかは、ヒートセット可能なヤーンとして提供され、壁は、減少した長さで増加した断面積の第１の状態と、増加した長さで減少した断面積の第２の状態との間で移動可能である。さらに、周方向に連続した周縁部によって画定される少なくとも１つの開口部を、壁の両端部間に有する状態で、壁を形成する。さらに、壁が第１の状態および第２の状態のうちの一方にある間にヒートセット可能なヤーンをヒートセットして、ヒートセットヤーンを介して壁に付勢を与え、付勢は、壁を、第１および第２の状態の各々に、壁を第１または第２の状態の他方に移動させる外部からかけられる軸方向の力がない場合に、とどめさせる。
【００２６】
本発明の別の態様によれば、本方法は、レース編組機で壁を編組することをさらに含むことができる。
【００２７】
本発明の別の態様によれば、本方法は、壁を継ぎ目のない周方向に連続した壁として編組することをさらに含むことができる。
【００２８】
本発明の別の態様によれば、本方法は、さらに、壁を、対向する、長さ方向に延びる縁部を有する、実質的に平坦な壁として、編組することを含むことができる。
【００２９】
本発明の別の態様によれば、本方法はさらに、平坦な壁をマンドレルの周りに巻付けること、および次いでヒートセットステップを行うことを含むことができる。
【００３０】
本発明の別の態様によれば、方法は壁に複数の開口部を形成することを含むことができる。
【００３１】
本発明の別の態様によれば、本方法は、複数の開口部を、互いと周方向に離間し、径方向に共面の関係で形成することを含むことができる。
【００３２】
本発明の別の態様によれば、本方法は、複数の開口部を互いから軸方向に離間された関係で形成することを含むことができる。
【００３３】
本発明の別の態様によれば、本方法は、複数の軸方向に離間された開口部を、互いから、軸方向に整列され、および／または周方向にオフセットされた関係で、形成することを含むことができる。
【００３４】
本発明の別の態様によれば、本方法は、ヤーンの少なくともいくつかを撚り合わせることによってヤーンの束を形成すること、およびそれらの束を互いと編組することをさらに含むことができる。
【００３５】
本発明の別の態様によれば、本方法は、束の少なくともいくつかにループを形成すること、および束のうちの１つからのループを束のうちの別の束のループと相互連結することを、さらに含むことができる。
【００３６】
本発明の別の態様によれば、本方法は、ヒートセット可能なヤーンを含む束の少なくともいくつかを形成することをさらに含むことができる。
【００３７】
本発明の別の態様によれば、本方法は、束の少なくともいくつかを、全体的に、ヒートセット可能なヤーンで形成することをさらに含むことができる。
【００３８】
本発明の別の態様によれば、本方法は、壁の熱形状保持能力を高めるために、撚られたヤーンのすべての束を、全体的に、ヒートセット可能なヤーンで形成することをさらに含むことができる。
【００３９】
本発明の別の態様によれば、本方法は、壁の熱形状保持能力を最適化するために、壁全体をヒートセット可能なヤーンで形成することをさらに含むことができる。
【００４０】
本発明の別の態様によれば、本方法は、壁によって提供されるカバレージ保護を向上させるために、非ヒートセット可能なヤーンを、撚られたヤーンの束の少なくともいくつかと交絡させることをさらに含むことができる。
【００４１】
本発明の別の態様によれば、本方法は、壁によって提供されるカバレージ保護を向上させるために、非ヒートセット可能なヤーンを、撚られたヤーンの束の少なくともいくつかのループを通して交絡させることをさらに含むことができる。
【００４２】
本発明の別の態様によれば、本方法は、スリーブのカバレージ保護を向上させるために、束の少なくともいくつかを、非ヒートセット可能なヤーンを含んで形成することをさらに含むことができる。
【００４３】
本発明の別の態様によれば、本方法は、スリーブのカバレージ保護を向上させるために、束の少なくともいくつかを、互いに対して並置され互いと撚り合されていない関係で配置された複数の非ヒートセット可能なヤーンを含んで、形成することをさらに含むことができる。
【００４４】
本発明の別の態様によれば、本方法は、スリーブのカバレージ保護を向上させるために、非ヒートセット可能なヤーンの束を、ヤーンが互いと並置の関係において他の撚られたヤーンの束の共通のループを通して配置される状態で、延在させることをさらに含むことができる。
【００４５】
本発明の別の態様によれば、本方法は、壁によって提供されるカバレージ保護を向上させるために、束の少なくともいくつかを、非ヒートセット可能なヤーンと撚られたヒートセット可能なヤーンを含んだ状態で、形成することをさらに含むことができる。
【００４６】
これらおよび他の局面、この発明の特徴および利点は、現在好ましい実施の形態および最良のモードの以下の詳細な記載、特許請求の範囲および添付の図面と関連して考慮されたときにより容易に十分に理解されるようになる。
【図面の簡単な説明】
【００４７】
【図１】保護されるべき細長い部材の周りに配置されて示された、本発明の一態様にしたがって構成された巻付可能なスリーブの概略斜視図である。
【図１Ａ】保護されるべき細長い部材の周りに配置されて示された、本発明の別の態様にしたがって構成された、周方向に連続した継ぎ目のないスリーブの概略斜視図である。
【図２Ａ】平らにされた、巻き付けられていない、軸方向に圧縮された、減少した長さの第１の状態で示された、図１の巻付可能なスリーブの概略平面図である。
【図２Ｂ】平らにされた、巻き付けられていない、軸方向に拡張された、増加した長さの第２の状態で示された、図１の巻付可能なスリーブの平面図である。
【図３】軸方向に圧縮された、低減された長さの第１の状態でマンドレルの周りに巻付けられて示される、本発明の一実施形態に従って構成された、図１の巻付可能なスリーブの概略側面図である。
【図３Ａ】軸方向に圧縮された、低減された長さの第１の状態で示された、図１Ａのスリーブの概略側面図である。
【図４Ａ】軸方向に圧縮された、低減された長さの第１の状態にある間に、保護されるべき細長い部材の周りに配置されて示される、図１のスリーブの概略側面図である。
【図４Ｂ】軸方向に伸長され、長さが増加した第２の状態で、保護されるべき細長い部材の周りに配置されて示されている、図１のスリーブの概略側面図である。
【図５Ａ】軸方向に圧縮された、低減された長さの第１の状態にある間に、保護されるべき細長い部材の周りに配置されて示される、図１Ａのスリーブの概略側面図である。
【図５Ｂ】軸方向に伸長され、長さが増加した第２の状態で、保護されるべき細長い部材の周りに配置されて示されている、図１Ａのスリーブの概略側面図である。
【図６】図１および図１Ａのスリーブの壁の拡大された断片図である。
【図７Ａ】中央に位置するコネクタを有する細長い部材の周りに配置された図１および図１Ａのスリーブを示す、図４Ｂおよび図５Ｂと同様の図である。
【図７Ｂ】複数の中間に位置するコネクタを有する細長い部材の周りに配置された図１および図１Ａのスリーブを示す、図７Ａと同様の図である。
【図８】保護されるべき細長い部材の周りに配置されて示される、本発明の別の態様に従って構成されたスリーブを示す、図４Ｂおよび図５Ｂと同様の図である。
【図９Ａ】一実施形態に従って図１および図１Ａのスリーブにおいて形成された開口部を示す概略部分編組図である。
【図９Ｂ】本発明の別の態様に従って構成された、開口部が中に一体的に編組された、スリーブの部分側面図である。
【図９Ｃ】本発明の別の態様に従って構成された、開口部が中に一体的に編組された、スリーブの部分側面図である。
【図１０Ａ】本発明の別の態様に従って構成されたスリーブの壁の拡大断片図を示す、図６と同様の図である。
【図１０Ｂ】本発明のさらに別の態様に従って構成されたスリーブの壁の拡大断片図を示す、図６と同様の図である。
【図１０Ｃ】本発明のさらに別の態様に従って構成されたスリーブの壁の拡大断片図を示す、図６と同様の図である。
【図１０Ｄ】本発明のさらに別の態様に従って構成されたスリーブの壁の拡大断片図を示す、図６と同様の図である。
【図１０Ｅ】本発明のさらに別の態様に従って構成されたスリーブの壁の拡大断片図を示す、図６と同様の図である。
【図１０Ｆ】本発明のさらに別の態様に従って構成されたスリーブの壁の拡大断片図を示す、図６と同様の図である。
【図１０Ｇ】本発明のさらに別の態様に従って構成されたスリーブの壁の拡大断片図を示す、図６と同様の図である。
【図１０Ｈ】本発明のさらに別の態様に従って構成されたスリーブの壁の拡大断片図を示す、図６と同様の図である。
【図１０Ｉ】本発明のさらに別の態様に従って構成されたスリーブの壁の拡大断片図を示す、図６と同様の図である。
【図１０Ｊ】本発明のさらに別の態様に従って構成されたスリーブの壁の拡大断片図を示す、図６と同様の図である。
【図１０Ｋ】本発明のさらに別の態様に従って構成されたスリーブの壁の拡大断片図を示す、図６と同様の図である。
【図１０Ｌ】本発明のさらに別の態様に従って構成されたスリーブの壁の拡大断片図を示す、図６と同様の図である。
【図１０Ｍ】本発明のさらに別の態様に従って構成されたスリーブの壁の拡大断片図を示す、図６と同様の図である。
【図１１】本発明のさらに別の態様に従って構成された巻付可能なスリーブの断面図である。
【図１１Ａ】本発明のさらに別の態様に従って構成された継ぎ目のないスリーブの断面図である。
【発明を実施するための形態】
【００４８】
好ましい実施形態の詳細な説明
図面をより詳細に参照すると、図１、図３、図４Ａおよび図４Ｂは、本発明の１つの態様に従って構成された巻付可能な編組された保護テキスタイルスリーブ（以下、スリーブ１０と呼ぶ）を示し、図１Ａ、図３Ａ、図５Ａおよび図５Ｂは、本発明の別の態様に従って構成された、周方向に連続した、継ぎ目のない編組された保護テキスタイルスリーブ（以下、スリーブ１０′と呼ぶ）を示す。２つのスリーブ１０，１０′の主な違いは、スリーブ１０は巻付可能な壁１２を有し、スリーブ１０′は継ぎ目のない管状の壁１２′を有することである。それ例外は、スリーブ１０，１０′は、以下において、別段の断りがなければ、同じ参照符号によって識別される同様の特徴を有する。
【００４９】
周方向に不連続な壁１２は、開放両端部１６，１８間において中心長手方向軸１４に対してほぼ平行な関係で長さ方向に延びる対向する自由縁部１３，１５を有し、一方、継ぎ目のない壁１２′も、長手方向軸１４に沿って両端部１６，１８間を延びる。壁１２、１２′は、中心長手方向軸１４を概ね横断する横断面で見たときに、減少した長さＬ１ならびに増加した直径Ｄ１および／または増加した断面積を有する、組付け前の第１の状態を達成するよう、軸方向に圧縮可能であり（それぞれ図４Ａおよび図５Ａ）、増加した長さＬ２ならびに減少した直径Ｄ２および／または減少した断面積を有する、完全に組付けられた第２の状態を達成するよう、軸方向に伸長可能である（それぞれ図４Ｂおよび図５Ｂ）。壁１２、１２′は、ヒートセット可能な編組されたヤーン２０を含み、それは、ヒートセットされると、ヒートセットヤーン２０が含まれる壁１２、１２′の少なくとも一部を、外部から加えられる何らかの力がない場合に、第１の状態および第２の状態のうちの選択された１つにとどまらせるかまたは実質的にとどまらせ、外部から加えられる力は、付勢を克服するよう選択的に加えられ、それにより、壁１２、１２′を所望に応じて第１の状態と第２の状態との間で軸方向に伸縮させる。ヒートセットヤーン２０は、壁１２、１２′に付勢を付与し、外部から加えられた力を介して付勢を克服すると、壁１２、１２′は、適切な外力によってさらなる作用を受けて異なる安定した構成に再び移動させられるまで、第１または第２の状態のいずれにせよ、その新たに選択された状態にとどまり、壁１２、１２′は、適切な外力が作用するまで、実質的にその新たな安定した構成にとどまる。従って、壁１２、１２′は、双安定の、自立的に軸方向に圧縮された第１の状態および軸方向に伸長した第２状態を有するが、壁１２、１２′は、両端１６，１８間において所望のように第１の状態と第２の状態との間で壁１２、１２′の複数の異なる領域を操作することができる結果として、同数の安定な構成を呈するよう、容易に操作できることが認識されるべきである。
【００５０】
壁１２は、好ましくは、レース編組機上で、周方向に連続する管として、または平坦な層として編組されるが、他の編組機構も本明細書では企図される。周方向に連続した管として編組される場合には、管は、その後、例えば、限定を伴わずに、熱いナイフ、ブレードまたはワイヤなどを介して長さ方向に切断されることにより、対向する、長さ方向に延びる縁部１３，１５を形成する。長さ方向切断プロセスは、管状壁１２を完成したスリーブ１０の所望の長さに切断した後に行うことができ、または代替的に、管状壁１２を長さ方向に切断して対向する縁部１３、１５を形成する前に管状壁１２を長さ方向に切断することができる。さらに、周方向に連続する管状壁１２がいつ長さ方向に切断されるかとは無関係に、壁１２は、壁１２を長さ方向に切断する前または後に、減少した長さＬ１ならびに増加した直径Ｄ１および／または増加した断面積の第１の状態にある間に、ヒートセットすることができる。そうではなく、壁１２が平坦な層として形成される場合には、平坦な層はその後、マンドレル１７（図３）の周りに巻付けられ、好ましくは対向する縁部１３，１５は互いに重なる関係にされ、好ましくは減少した長さＬ１ならびに増加した直径Ｄ１および／または増加した断面積の第１の状態にある間にそうされ、次いで、壁１２をマンドレル１７の周りでヒートセットする。継ぎ目のない壁１２′については、それも、好ましくは、レース編組機上で、周方向に連続する管として編組されるが、他の編組機構も本明細書では企図される。
【００５１】
本発明の一態様によれば、壁１２、１２′のヤーンは、ヒートセット可能なヤーンから、全体的に提供されても、または部分的にのみ提供されても、少なくとも部分的に、ヤーンの束２１として編組することができ、束２１は、Ｓ方向に一方のヤーンとＺ方向に他方のヤーンとを互いに撚り合わせることができる複数のヤーンの端部を含み、それによりヤーンの別々の束２１を単一のヤーンとして編組することができる。壁１２、１２′は、少なくとも部分的に、個々の束２１が互いに編組された状態で構成することができ、各束２１は、複数の、ヤーンの対として示される（図６）、互いに撚り合わされたヤーンを含む。意図される用途に所望される場合、ヤーンの２つより多い端部を互いに束ねることができることを認識すべきである。撚られたヤーンの個々の束２１は、単一のＳもしくはＺ方向に、またはＳおよびＺの両方の方向に編組することができる（Ｓは第１の螺旋方向を表し、Ｚは反対の螺旋方向を表す）。束２１は、それぞれの撚られたヤーンの対２１の各々内に形成された相互に連結された周方向に閉じた開口部またはループ２２によって交差位置で相互に連結されるように示されており、したがって、束ねられたヤーン２１の個々の対は、それらが互いから分離できないように効果的に相互に連結され、一緒に固定される。ループ２２の相互連結は、ヒートセットヤーン２０に与えられる付勢の効果を非常に大きくして、壁１２、１２′を第１および第２の双安定状態の間で移動させ、壁１２、１２′または壁１２、１２′の一部を選択された状態に維持するが、しかしながら、ヤーンは一緒に連結されることなく編組され得ることが本明細書において企図され、ただし、上述の安定状態ははるかに顕著ではない可能性があることが理解される。
【００５２】
上述のように壁１２、１２′を編組すると、たとえば、限定ではなく、約０．１〜０．４０ｍｍの直径を有するナイロン、ポリフェニレンスルフィド（ＰＰＳ）またはポリエチレンテレフタレート（ＰＥＴ）またはポリプロピレン（ＰＰ）などからのヒートセット可能なモノフィラメントおよび／またはヒートセット可能なマルチフィラメントとして提供されることができるヒートセット可能なヤーン２０は、次いで、壁１２、１２′が、たとえば、完全にまたは少なくとも部分的に軸方向に圧縮され、長さが低減された状態など（図３、図３Ａ）、選択された構成にある間に、ヒートセットされる。上述したように、壁１２が継ぎ目のない管状壁１２として構成される場合には、対向する縁部１３，１５を形成するよう壁１２を長さ方向に切断する前または後にヒートセットプロセスを実施することができるが、壁１２を切断した後に実施する場合、対向する縁部１３，１５は、平坦な層に関して実行したように、同様の重なる関係に巻き付けられ得、それにより、ヒートセット可能なヤーン２０をヒートセットすることによるヒートセット後に、対向する縁部１３，１５の強化された重なりを提供するように作用して周方向に延びる構成に付勢させ、それにより壁１２を自己巻付性にする。壁１２が継ぎ目のない周方向に管状の壁として形成される場合、長さ方向の切断プロセスの結果、対向する縁部１３，１５は切断されたヤーンを有することをさらに注記すべきであるが、加熱されたブレードまたはワイヤで切断される場合、ヤーンは切断された縁部１３，１５で互いに融着し、それにより、ほつれを防止するように作用し得ることが企図される。そうではなく、平坦な壁１２として編組される場合（図２Ａ、図２Ｂ）、ヤーンは、縁部１３，１５の一方または両方において、ＳからＺへ、および／またはその逆に、螺旋方向を逆転させるように編組することができ、それによって、強化されたほつれに強い抵抗性の完全性および平滑性を有する縁部１３，１５を形成することができる。
【００５３】
低減された長さＬ１、増加した断面積の、第１の状態と、増加した長さＬ２、減少した断面積の、第２の状態との間の最大のばね付勢のために、壁１２、１２′全体は、例示として、限定なしに、図６に示されているようなヒートセット可能なモノフィラメント２０の撚り束から形成され得るが、たとえば、強化されたカバレージ、熱的、音響的または電磁的干渉（ＥＭＩ）のような、磨耗以外の追加の種類の保護を提供することが所望される場合、ヤーンの少なくともいくつかは、以下にさらに詳細に論じられるように、非ヒートセット可能なヤーンとして提供することができる。このように、個々の撚り束２１は、充分なヒートセット可能なヤーン２０が壁１２、１２′をその第１および第２の位置に維持するのに必要な付勢を与えるよう含まれる限り、所望の数のヤーン２０のヒートセット可能な端部と、所望の数のヤーンの非ヒートセット可能な端部とを有し得る。壁１２、１２′が、非ヒートセット可能なヤーンの含有量に対して、相対的に低い割合のヒートセット可能なヤーン２０を含む場合、たとえば例として、限定としてではなく、５０％未満の含有量を含む場合、ヒートセット可能なヤーン２０の直径を増加でき、それにより、直径範囲の上限にあることができ、ヒートセット可能なヤーン２０を直径範囲の下限に向かって与えた場合と比較して、増加した付勢を与えることができる。
【００５４】
上述したように、ヒートセット可能なヤーン２０をヒートセットする前に、壁１２、１２′の両端１６，１８は、壁１２、１２′が、径方向に拡張された、増加した直径Ｄ１および／または増加した断面積（すなわち、中心長手方向軸１４を概ね横断する横断面で見て、壁１２、１２′によって境界付けられた領域）で、低減された長さＬ１の、第１の状態にされるまで、互いに向かって軸方向に圧縮され、次いで、適切な程度の熱が、ヒートセット可能なヤーン２０に与えられ、それによってヒートセット可能なヤーン２０をヒートセットさせる。（対向する縁部１３，１５が互いに重なる関係にある間にヒートセットされる場合に、）ヒートセットされると、壁１２がそれの対向する縁部１３，１５を互いに重なる関係に付勢されて壁１２を自己巻付壁にすることとは別に、壁１２、１２′は、軸方向に延長された長さＬ２、減少した直径Ｄ２および／もしくは減少した断面積を有する、選択された使用中の第２の状態構成において（図１、図１Ａ、図４Ｂ、図５Ｂ）、または軸方向に低減された長さＬ１、径方向に拡張された直径Ｄ１および／もしくは増加した断面積（図４Ａ、図５Ａ）を有する、組付け前の第１の状態構成において、壁１２、１２′を維持しようとする、ヒートセットヤーン２０によって付与される付勢を達成する。スリーブ１０、１０′がどの状態にあるかに関係なく、スリーブ１０、１０′は、ヒートセットヤーン２０によって加えられる付勢を克服するのに十分な外部から加えられる軸方向の力が加えられるまで、その状態のままである。スリーブ１０、１０′の概ね中心長手方向軸１４の方向に沿って適切な力が壁１２、１２′に加えられると、軸方向の力の作用を受ける壁１２、１２′の部分またはセクションは、壁１２、１２′を弾き、撥ね、一方の状態から他方の状態に移動させ、壁１２、１２′は、第１の状態から第２の状態に向かうのであれ、またはその逆であれ、適切な外部の軸方向に加えられる力が再び作用するまで、その変化した状態のままである。このように、壁１２、１２′の全長は、減少した長さの第１の状態もしくは増加した長さの第２の状態の一方にされ得、または壁１２、１２′の任意の数の個別の長さ方向に延びる部分もしくはセグメントを操作して前述の第１の状態と第２の状態との間において所望のように変化できることが認識されるべきである。したがって、壁１２、１２′の、軸方向に延びる、互いに隣接するセグメントは、所望の場合には、互いに異なる第１および第２の状態の１つにとどまるよう付勢され得、それによって、壁１２はその長さに沿って変動する外形を呈することができる。
【００５５】
ヒートセットすることに先立って、スリーブの壁１２、１２′は、軸方向に、低減された長さＬ１の、第１の状態に圧縮される間に、壁１２、１２′の外周部を円形以外の形状にすることができる。したがって、外周部は、中心長手方向軸１４に対して略横断した横断面で見て非円形形状に形成することができる。非円形形状は、正方形、長方形、三角形、または任意の多角形、非円形形状など、特定の最終用途に有益であり得るような任意の所望の形状とすることができる。次いで、壁１２、１２′を低減した長さＬ１の第１の状態に形成し、壁１２、１２′の外周部を所望の断面形状に構成すると、壁１２、１２′に熱を加えてヒートセットをヒートセット可能なヤーン２０に付与することができ、それによって、壁１２、１２′に双安定機能を提供すると共に、外周部を、横断面で見て、円形であれ、または非円形であれ、選択された形状に形成することができる（図１１および図１１Ａ）。
【００５６】
ワイヤハーネス、導管その他などのような、束ねられ保護されるべき細長い部材２３の周りのスリーブ１０、１０′の組付け中において、壁１２、１２′は、その中心長手方向軸１４に沿って軸方向に圧縮されて完全にまたは部分的に圧縮された第１状態にされることができ（図４Ａおよび図５Ａ）、壁１２、１２′を異なる構成に移動させるのに十分な外部からの力がない場合、壁１２、１２′は第１の状態にとどまるか、または実質的に第１の状態にとどまる。壁１２、１２′が約２フィート以上といったように比較的長い場合、壁１２、１２′の全体が少なくとも部分的に軸方向に圧縮されるまで、長さ方向に延びる別個の領域を軸方向に圧縮することができ、それによって、壁１２、１２′の全長を、第１の、軸方向に圧縮された状態に変換することを容易にする。このように、スリーブ１０、１０′は、増加した直径Ｄ１および／または増加した断面積を呈し、それにより、対向する縁部１３，１５を互いから離れるように広げることによって、壁１２をより容易に開き、概して、壁１２、１２′を、保護すべき細長い部材２３の周り、およびそれに取り付けられる任意の拡大されたコネクタまたは取付具２６の周りにより容易に配置することができる。次いで、径方向に拡張した壁１２、１２′を細長い部材２３の周りに配置すると、両端部１６，１８の少なくとも一方を他方から離れるように軸方向に引っ張るなどして、軸方向に加えられる引っ張り力を壁１２、１２′に加えることができ、それによって、壁１２、１２′を、図４Ｂおよび図５Ｂに概略的に示されるように、例示として、限定を伴わずに、軸方向に延在させて、径方向に拡張された、長さの低減された第１の状態から、径方向に収縮された、長さの増加した第２の状態に、弾かせるかまたは撥ねさせる。壁１２、１２′のどの部分も、望むならば、他の部分を、第１の、軸方向に圧縮され、径方向に拡張された状態に残しながら、所望に応じて、低減された長さ状態Ｌ１から長くされ得ることが認識されるべきである。このように、任意の所望の軸方向長さにわたって延びるように編組することができる壁１２、１２′は、保護すべき細長い部材２３の所望の長さにわたって軸方向に延ばすことができる。壁１２、１２′は、増加した長さＬ２、減少した直径Ｄ２、および／または減少した断面積の、第２の状態に移動される状態では、壁１２、１２′は、たとえばワイヤハーネスなどの細長い部材２３を所望の外皮に収容することができ、細長い部材２３を所望に応じてきちんと結束および引き回すことができる。さらに、編組壁１２、１２′が細長い部材２３を束ねるように作用することに加えて、特に複数の個々の露出したワイヤを有するワイヤーハーネスの場合、壁１２、１２′は、特に、ヒートセット可能なヤーン２０がモノフィラメントとして提供される場合には、細長い部材２３を磨耗から保護するよう作用する。意図される用途に必要なカバレージを提供するよう、必要に応じて１インチ当たりのピック数を提供できることが認識されるべきである。そのため、必要なカバレージがより少ない場合は、１インチあたりのピック数を減らすことができ、カバレージがさらに必要な場合は、１インチあたりのピック数を増やすことができる。さらに、インチ当たりのピック数は、意図される用途に望まれるように、壁１２、１２′の長さにわたって変動させることができる。カバレージがより小さいと、壁１２、１２′を通して見ることの恩恵が得られ、それによって、例として、そして限定なしに、別個のワイヤの個々の色のような、スリーブ内の内容を見ることができる。そうではなく、増加したカバレージが提供される場合、汚染の侵入に対する追加保護または強化された音響および／もしくは熱的保護が与えられ得る。
【００５７】
図７Ａにおいて、スリーブ１０、１０′は、両端部コネクタ２６間において中央に位置するコネクタ２６を有する細長い部材２３の周りに延びるように示されている。スリーブ１０、１０′の長さの一部に亘って第１の状態で局所的に拡張されたままであるスリーブ１０、１０′の能力は、壁１２、１２′が中央コネクタ２６を収容することを可能にし、スリーブ１０、１０′の残りの部分は、組み付けで、容易に、長さ方向に、第２の状態に延ばされ得る。図７Ｂに示すように、スリーブ１０、１０′の両端部１６，１８間に、任意の数の、第１の状態の拡張領域および第２の状態の収縮領域を所望のように形成することができることが認識されるべきであり、細長い部材２３は、スリーブ１０、１０′内において受けられるべき複数の中間コネクタ２６を含み、それによって、スリーブ１０、１０′が、スリーブ１０、１０′の長さに沿って細長い部材２３の複数の異なる径方向の寸法および起伏を収容し、それらに適合することを可能にする。
【００５８】
図８には、本発明の別の態様に従って構成されたスリーブ１１０が示されており、同様の特徴を識別するために、上で使用されたのと同じ参照番号に１００を加えたものが使用されている。スリーブ１１０は、スリーブ１０について上述したように、巻付可能なスリーブ、またはスリーブ１０′について上述したように、継ぎ目のないスリーブのいずれかとすることができることを理解されたい。スリーブ１１０は、上述したように、ヒートセット可能なヤーン１２０を含む、参照番号１１２で総称的に識別される、編組された巻付可能な壁を有し、ヒートセットされると、壁１１２に付勢を与え、それは、壁１１２を、上述したように、選択された第１および第２の状態にとどめさせ、さらには、巻付可能な壁の対向する縁部が互いに重ね合わせられる関係にある間にヒートセットされる場合には、対向する縁部を互いに重なる関係にするよう、付勢を付与することができる。したがって、壁１１２を動かす何らかの外部から加えられる力がなければ、壁１１２は第１および第２の状態のうちの選択された状態にとどまる。上述したように、外部から加えられる力を、壁１１２に、その全体または個別の領域において選択的にかけることにより、壁１１２またはその一部を第１および第２の状態のうちの一方から他方へ所望のように移動させることができる。スリーブ１１０の壁１１２は、ヒートセット可能なヤーン１２０と編組される非ヒートセット可能なヤーン１２４をさらに含む。非ヒートセット可能なヤーン１２４は、マルチフィラメントヤーンおよび／またはモノフィラメントヤーンとして、所望のタイプの保護を与えるようさまざまな非ヒートセット可能な材料から、たとえば、鉱物繊維、たとえば、玄武岩、シリカ、セラミックもしくは繊維ガラスなど、または可撓性のある導電性フィラメント、たとえばワイヤ、金属被覆されたポリマーヤーンフィラメントからなど、または別のヤーンフィラメントとともに供されるかもしくはそれと撚られる導電性フィラメントもしくは非導電性フィラメント、たとえばヒートセット可能もしくは非ヒートセット可能なモノフィラメントおよび／もしくはマルチフィラメントを含むハイブリッドヤーンとして提供することができる。マルチフィラメントヤーンとして提供される場合には、細長い部材２３を外部のデブリからの汚染から保護するよう強化されたカバレージが提供される。さらに、マルチフィラメントは、スリーブ１１０に対する柔軟性を高め、それによって、隣接する物体に対する壁１１２の摩耗効果を低減する。壁１１２のために複数の編組パターンが企図されており、それらの実施形態は後述する。
【００５９】
本発明のさらなる態様によれば、壁１２，１２′、１１２は一体化された開口部２８が編組プロセス中に中に形成されて編組されるが、開口部２８は、単に、任意の通常の編組された材料を介して自然に形成される開口部ではなく、任意の典型的な編組において形成される一般的な概ねダイヤモンド形の開口部より大きな開口部として形成され、したがって、したがって開口部は、編組されたヤーンの複数（２つ以上）の交差ノード（Ｓ方向およびＺ方向のヤーンが互いの上/下を交差する点）に亘っている。開口部２８は、周方向に連続した周縁部３０を有するように形成され、その結果、緩い切断されたヤーン、ならびにさらには開口部２８が構造的統合性および美的外観を有する結果となる。開口部２８は、図９Ａならびに図９Ｂおよび図９Ｃに概略的に最もよく示されるように、開口部２８の周縁部３０においてＳまたはＺ螺旋方向の一方から反対側のＳまたはＺ螺旋方向に方向を反転する編組されたヤーンを介して、形成される。したがって、開口部２８は「編組されるとおり」に形成され、二次的な切断プロセスを経ては形成されない。開口部２８は、任意の所望の長さを有するように形成することができ、壁１２，１２′、１１２の長さに沿って任意の所望の位置に形成することができる。したがって、複数の開口部２８を壁１２，１２、１１２′に形成することができ、開口部２８は、互いと軸方向に整列する関係で；または中心軸１４を実質的に横断して延びる平面内で共面であれ、または互いにから軸方向に千鳥状であれ、互いから周方向に離間した関係で；または互いと螺旋関係で、またはそれ以外で、配置されることができる。開口部２８は、コネクタへの容易なアクセスのための位置、およびワイヤの分枝を容易に延ばすことができる位置を与える。
【００６０】
図１０Ａには、図８のスリーブ１１０の壁２１２の一実施形態が示されており、同様の特徴を識別するために、上で使用されたのと同じ参照番号に２００を加えたものが使用されており、壁２１２の拡大された断片部分が簡略化のために示されているが、壁２１２の残りの部分は同じであることが理解されるべきである。壁２１２は、非ヒートセット可能なヤーン２２４を含み、それらは、ヒートセット可能なヤーン２２０と撚り合わせられた関係で束ねられて個別の束２２１を形成するように示されており、単一の非ヒートセット可能なヤーン２２４が、単一のヒートセット可能なヤーン２２０と撚り合されるとして示されているが、これは例示であり、限定ではない。個別の束２２１は互いに編組されて壁２１２の全体を形成し、本発明の別の態様に従って、各束のループ２２２の各々は別の束２２１のループ２２２と相互連結されるように示される。このように、束２２１の各々は、ヒートセット可能なヤーン２２０がヒートセットされると付勢を与えることができる一方、各束はまた、非ヒートセット可能なヤーン２２４、たとえば比較的嵩のあるマルチフィラメントなどを含むことにより、より大きなカバレージ保護を与えるという、二重の利点を提供する。
【００６１】
図１０Ｂには、図８のスリーブ１１０の壁３１２の別の実施形態が示されており、同様の特徴を識別するために、上で使用された同じ参照番号に３００を加えたものが使用されており、壁３１２の拡大された断片部分が簡略化のために示されているが、壁３１２の残りの部分は同じであることが理解されるべきである。壁３１２は、非ヒートセット可能なヤーン３２４を含み、それらは互いと撚り合わされる関係で束ねられて、全体的に、撚られた非ヒートセット可能なヤーンからなる個別の束３２１′を形成し、個別の束３２１′は、ヒートセット可能なヤーン３２０のみからなる束など、ヒートセット可能なヤーン３２０を含む他の束３２１″と編組でき、各束３２１′、３２１″のループ３２２の各々は、本発明の別の態様に従って、他の束３２１′、３２１″のループ３２２と相互連結されるよう示される。非ヒートセット可能なヤーン３２４の撚り束３２１′およびヒートセット可能なヤーン３２０の撚り束３２１″は、Ｓ方向およびＺ方向の各々において互い違いに示されている。
【００６２】
図１０Ｃには、図８のスリーブ１１０の壁４１２の別の実施形態が示されており、同様の特徴を識別するために、上で使用された同じ参照番号に４００を加えたものが使用されており、壁４１２の拡大された断片部分が簡略化のために示されているが、壁４１２の残りの部分は同じであることが理解されるべきである。壁４１２は、非ヒートセット可能なヤーン４２４のみを含む束４２１′を含み、個別の束４２１′は、ヒートセット可能なヤーン４２０と非ヒートセット可能なヤーン４２４との両方を含む他の束４２１と編組することができ、各束４２０，４２１′のループ４２２の各々は、別の束４２０，４２１′のループ４２２と相互連結されているものとして示されている。この実施形態では、束４２１は、全体的に第１のＳまたはＺ螺旋方向に延びるように示されており、束４２１′は全体的に束４２１に対して反対の第２のＳまたはＺ螺旋方向に延びるように示されている。したがって、ヒートセット可能なヤーン４２０の使用が低減され、それによって、非ヒートセット可能なヤーン４２４によって提供されるカバレージの程度が増し、さらにスリーブ１１０の可撓性の程度が増加する。
【００６３】
図１０Ｄには、図８のスリーブ１１０の壁５１２の別の実施形態が示されており、同様の特徴を識別するために、上で使用された同じ参照番号に５００を加えたものが使用されており、壁５１２の拡大された断片部分が簡略化のために示されているが、壁５１２の残りの部分は同じであることが理解されるべきである。壁５１２は、図４Ｂに示すスリーブに関して上述したように、ヒートセット可能なヤーン５２０のみを含む撚り束５２１を含み、束５２１は、Ｓ方向およびＺ方向の両方に延びるように示されているが、しかしながら、壁５１２はまた、Ｓ方向およびＺ方向の両方に延びる撚られていない非ヒートセット可能なヤーン５２４を含む。撚られていない非ヒートセット可能なヤーン５２４は、並置されたヤーンの対状態で編組されて示され、各対は、撚り束５２１の共通のループ５２２を通過する。撚られていない非ヒートセット可能なヤーン５２４の各々の編組は、Ｓ方向に延びるヤーン５２４の各々が、Ｓ方向に延びる束５２１間を束５２１と共螺旋状に延び、Ｚ方向に延びるヤーン５２４の上下を交互にうねり、さらに、ループ５２２の領域内において対応するヒートセット可能なヤーン５２０の上下を交互にうねり、Ｚ方向に延びるヤーン５２４の各々は、Ｚ方向に延びる束５２１間を束５２１と共螺旋状に延び、Ｓ方向に延びるヤーン５２４の上下を交互にうねり、さらに、ループ５２２の領域内において対応するヒートセット可能なヤーン５２０の上下を交互にうねるように、行なわれる。図面に見られるように、各ヤーン５２０，５２４は、１本のヤーンの上にうねり、次いで、次のヤーンの下にうねり、それによって、もちろん、編組であるが、平織に見られるであろうようなパターンに類似した平編組を形成する。非ヒートセット可能なヤーン５２４の存在は、スリーブ１１０に柔軟性、可撓性および増加したカバレージ保護を提供するように機能する。図示された実施形態では、非ヒートセット可能なヤーン５２４の単一の対が、隣接するヒートセット可能な束５２１間を、Ｓ方向およびＺ方向の両方において、延びる。
【００６４】
図１０Ｅには、図８のスリーブ１１０の壁６１２の別の実施形態が示されており、同様の特徴を識別するために、上で使用された同じ参照番号に６００を加えたものが使用されており、壁６１２の拡大された断片部分が簡略化のために示されているが、壁６１２の残りの部分は同じであることが理解されるべきである。壁６１２は、構造が壁５１２と同様であるが、撚り束が全体的にヒートセット可能なヤーンで形成されるのではなく、Ｓ方向またはＺ方向の少なくとも一方において延び、Ｓ方向およびＺ方向の両方向に延びるとして示されている撚り束６２１は、ヒートセット可能なヤーン６２０が非ヒートセット可能なヤーン６２４と撚り合わせられて与えられる。それ以外は、壁６１２は、壁５１２について上述したように、撚られていない非ヒートセット可能なヤーン６２４を含む。したがって、壁６１２は、壁５１２と比較して、ヒートセット可能なヤーン６２０の存在をわずかに減少させ、非ヒートセット可能なヤーン６２４の存在をわずかに増加させる。
【００６５】
図１０Ｆには、図８のスリーブ１１０の壁７１２の別の実施形態が示されており、同様の特徴を識別するために、上で使用された同じ参照番号に７００を加えたものが使用されており、壁７１２の拡大された断片部分が簡略化のために示されているが、壁７１２の残りの部分は同じであることが理解されるべきである。壁７１２は、構造が壁５１２と同様であるが、１対の撚られていない非ヒートセット可能なヤーンがヒートセット可能なヤーン７２０の各撚り束７２１間を延びるのではなく、２つの別個の撚られていない非ヒートセット可能なヤーン７２４の対が、ヒートセット可能なヤーン７２０の各撚り束７２１間を延びる。壁５１２と同様に、各ヤーン７２０，７２４は、１本のヤーンの上にうねり、次いで、次のヤーンの下にうねり、それによって、もちろん、編組であるが、平織に見られるであろうようなパターンに類似した平編組を形成する。ヒートセットされる束７２１間において延びる非ヒートセット可能なヤーン７２４の数は、意図される用途の要件に応じて、図示のものとは異なり得ることを認識すべきである。したがって、さらに強化されたカバレージ保護が所望される場合には、より多くの非ヒートセット可能なヤーン７２４を含めることができる。
【００６６】
図１０Ｇには、図８のスリーブ１１０の壁８１２の別の実施形態が示されており、同様の特徴を識別するために、上で使用された同じ参照番号に８００を加えたものが使用されており、壁８１２の拡大された断片部分が簡略化のために示されているが、壁８１２の残りの部分は同じであることが理解されるべきである。壁８１２は、構造が壁６１２と同様であるが、１対の撚られていない非ヒートセット可能なヤーンがヒートセット可能なヤーンおよび非ヒートセット可能なヤーンの各撚り束間を延びるのではなく、２つの別個の撚られていない非ヒートセット可能なヤーン８２４の対が、ヒートセット可能なヤーンおよび非ヒートセット可能なヤーン８２０、８２４の各撚り束８２１間を延びる。壁５１２と同様に、各ヤーン８２０、８２４は、１本のヤーンの上にうねり、次いで、次のヤーンの下にうねり、それによって、もちろん、編組であるが、平織に見られるであろうようなパターンに類似した平編組を形成する。ヒートセットされる束８２１間において延びる非ヒートセット可能なヤーン８２４の数は、意図される用途の要件に応じて、図示のものとは異なり得ることを認識すべきである。したがって、さらに強化されたカバレージ保護が所望される場合には、より多くの非ヒートセット可能なヤーン８２４を含めることができる。
【００６７】
図１０Ｈには、図８のスリーブ１１０の壁９１２の別の実施形態が示されており、同様の特徴を識別するために、上で使用された同じ参照番号に９００を加えたものが使用されており、壁９１２の拡大された断片部分が簡略化のために示されているが、壁９１２の残りの部分は同じであることが理解されるべきである。壁９１２は、ＳまたはＺ螺旋方向の一方のみに延びるヒートセット可能なヤーン９２０の撚り束９２１と、ＳおよびＺ螺旋方向の両方に延びる撚られていない非ヒートセット可能なヤーン９２４とを含む。ヒートセット可能なヤーン９２０とは反対のＳまたはＺ方向に延びる非ヒートセット可能なヤーン９２４は、上述したのと同様に、撚り束９２１のループ９２２を対状態で通って延び、各対の一方の非ヒートセット可能なヤーン９２４は、ループ９２２の一方側の上下を、各対の他方の非ヒートセット可能なヤーン９２４は、対応のループ９２２の対向側の上下を、図示されるように延びる。ヒートセット可能なヤーン９２０と同じＳまたはＺ方向に延び、それによってそれと平行および共螺旋状である非ヒートセット可能なヤーン９２４は、もちろん、編組であるが、平織に見られるであろうように、ヒートセット可能なヤーン９２０を横断して延びるヒートセット可能なヤーン９２０の上下を延びる。図示された実施形態では、合計６つの非ヒートセット可能なヤーンが、近隣の撚り束９２１間を延びて示されているが、その数は、意図される用途の必要性に応じて、より多数またはより少数であり得ることがここにおいて企図される。
【００６８】
図１０Ｉには、図８のスリーブ１１０の壁１０１２の別の実施形態が示されており、同様の特徴を識別するために、上で使用された同じ参照番号に１０００を加えたものが使用されており、壁１０１２の拡大された断片部分が簡略化のために示されているが、壁１０１２の残りの部分は同じであることが理解されるべきである。壁１０１２は壁９１２に類似しており、Ｓ螺旋方向またはＺ螺旋方向の一方にのみ延びる撚り束１０２１と、Ｓ螺旋方向とＺ螺旋方向との両方に延びている撚られていない非ヒートセット可能なヤーン１０２４とを含む。壁９１２とは対照的に、撚り束１０２１は、ヒートセット可能なヤーン１０２０と撚られた非ヒートセット可能なヤーン１０２４を含む。したがって、壁９１２と比較して、壁１０１２に含まれるヒートセット可能なヤーンの量は少なくなるが、しかしながら、壁９１２と比較して、壁１０１２には、より多くの非ヒートセット可能なヤーン１０２４が含まれる。したがって、壁１０１２は僅かにより多くの可撓性があり、カバレージ保護の面積はより大きいが、第１状態と第２状態との間で撥ねる能力はわずかに低下する。それ以外は、壁１０２１は、壁９１２について上述したものと同じである。
【００６９】
図１０Ｊには、図８のスリーブ１１０の壁１１１２の別の実施形態が示されており、同様の特徴を識別するために、上で使用された同じ参照番号に１１００を加えたものが使用されており、壁１１１２の拡大された断片部分が簡略化のために示されているが、壁１１１２の残りの部分は同じであることが理解されるべきである。壁１１１２は、壁９１２と同様であるが、壁１０１２は、Ｓ螺旋方向またはＺ螺旋方向の一方にのみ延びる撚り束１１２１と、撚り束１１２１とは反対のＳ螺旋方向またはＺ螺旋方向にのみ延びる撚られていないヤーン１１２４とを含む。したがって、Ｓ方向またはＺ方向の一方に延びるすべてのヤーンは撚り束１１２１であり、撚り束１１２１の螺旋方向とは反対のＳまたはＺ方向に延びるすべてのヤーンは撚られていないヤーン１１２４である。撚り束１１２１は、ヒートセット可能なマルチフィラメントが使用され得ることが企図されるので、例として、限定なく、ヒートセット可能なモノフィラメントとして示される、ヒートセット可能なヤーン１１２０を含むものとして示されている。さらに、撚られていないヤーン１１２４は、上述した材料から提供され得るような、すべての非ヒートセット可能なマルチフィラメントを含むものとして示される。このように、Ｓ方向またはＺ方向の一方に延在する撚り束１１２１は、磨耗に対して保護されている細長い部材に保護を与えることとは別に、上で論じたように、壁１１１２内に付勢を与えて、壁１１１２に双安定状態を与える。一方、反対の螺旋方向ＳまたはＺに延びる非ヒートセット可能な撚られていないヤーン１１２４は、スリーブに含まれる細長い部材に望まれるさらなるカバレージ保護のタイプを提供する。
【００７０】
図１０Ｋには、図９のスリーブ１１０の壁１２１２の別の実施形態が示されており、同様の特徴を識別するために、上で使用された同じ参照番号に１２００を加えたものが使用されており、壁１２１２の拡大された断片部分が簡略化のために示されているが、壁１２１２の残りの部分は同じであることが理解されるべきである。壁１２１２は、壁１１１２と同様であるが、壁１２１２は、Ｓ螺旋方向またはＺ螺旋方向の一方にのみ延びる撚り束１２２１と、撚り束１２２１とは反対のＳ螺旋方向またはＺ螺旋方向にのみ延びる撚られていないヤーン１２２０とを含む。したがって、Ｓ方向またはＺ方向の一方に延びるすべてのヤーンは撚り束１２２１であり、撚り束１２２１の螺旋方向とは反対のＳまたはＺ方向に延びるすべてのヤーンは撚られていないヤーン１２２０である。撚り束１２２１は、ヒートセット可能なマルチフィラメントが使用され得ることが企図されるので、例として、限定なく、ヒートセット可能なモノフィラメントとして示される、すべてのヒートセット可能なヤーン１２２０を含むものとして示されている。壁１１１２とは対照的に、撚られていないヤーン１２２０は、すべてのヒートセット可能なモノフィラメントを含むとして示される。
【００７１】
図１０Ｌには、図８のスリーブ１１０の壁１３１２の別の実施形態が示されており、同様の特徴を識別するために、上で使用された同じ参照番号に１３００を加えたものが使用されており、壁１３１２の拡大された断片部分が簡略化のために示されているが、壁１３１２の残りの部分は同じであることが理解されるべきである。壁１３１２は、壁１１１２に類似しており、注目すべき違いのみが以下に説明される。壁１３１２は、Ｓ方向またはＺ方向の一方に延びるヒートセット可能なヤーンのみを含む撚り束を含むのではなく、撚り束１３２１を含み、各束１３２１は、ヒートセット可能なマルチフィラメントがここでは企図されるが、モノフィラメントとして示される、ヒートセット可能なヤーン１３２０と、図１０Ｉの壁１０２１に対して図示され記載されたような、撚り合わせられる非ヒートセット可能なヤーン１３２４とを含み、非ヒートセット可能なヤーン１３２４は、図１０Ｊの壁１１１２に対して図示され説明されたように、束１３２１のループ１３２２を通って、束１３２１と反対のＳまたはＺ方向に延びる。
【００７２】
図１０Ｍには、図８のスリーブ１１０の壁１４１２の別の実施形態が示されており、同様の特徴を識別するために、上で使用された同じ参照番号に１４００を加えたものが使用されており、壁１４１２の拡大された断片部分が簡略化のために示されているが、壁１４１２の残りの部分は同じであることが理解されるべきである。壁１４１２は、壁１１１２に類似しており、注目すべき違いのみが以下に説明される。壁１４１２は、一方の螺旋方向ＳまたはＺに延びるヒートセット可能なヤーンのみを含む撚り束を含み、非ヒートセット可能なヤーン１４２４がそれとともにそれのループ１４２２を通って反対の螺旋方向ＳまたはＺに延びるのではなく、壁１４１２は、ここではヒートセット可能なマルチフィラメントが企図されるが、モノフィラメントとして示される、ヒートセット可能なヤーン１４２０のみの撚り束１４２１と、非ヒートセット可能なマルチフィラメントとして示される、非ヒートセット可能なヤーン１４２４のみの撚り束１４２１′とを含む。それぞれの撚り束１４２１，１４２１′は、互いと交互し、互いと同じ螺旋方向ＳまたはＺに延びて示されるが、しかしながら、本明細書では、それぞれの撚り束１４２１，１４２１′の所望の数およびパターンが企図されていることが認識されるべきである。
【００７３】
上記の教示に照らして、本発明の多くの修正物および変形物が可能である。さらに、本発明のさまざまな態様に従って構成された編組管状壁は、保護部材、結束部材、または新規な物品をも含む多数の用途を呈することができることが、例示として、限定を伴わずに認識されるべきである。したがって、本発明は、具体的に記載されたものとは異なる態様で実施することができ、本発明の範囲は、任意の最終的に許可される特許請求の範囲によって定義されることを理解されたい。
【図１】
2018532053.tif 000003
【図１Ａ】
2018532053.tif 000004
【図２Ａ】
2018532053.tif 000005
【図２Ｂ】
2018532053.tif 000006
【図３】
2018532053.tif 000007
【図３Ａ】
2018532053.tif 000008
【図４Ａ】
2018532053.tif 000009
【図４Ｂ】
2018532053.tif 000010
【図５Ａ】
2018532053.tif 000011
【図５Ｂ】
2018532053.tif 000012
【図６】
2018532053.tif 000013
【図７Ａ】
2018532053.tif 000014
【図７Ｂ】
2018532053.tif 000015
【図８】
2018532053.tif 000016
【図９Ａ】
2018532053.tif 000017
【図９Ｂ】
2018532053.tif 000018
【図９Ｃ】
2018532053.tif 000019
【図１０Ａ】
2018532053.tif 000020
【図１０Ｂ】
2018532053.tif 000021
【図１０Ｃ】
2018532053.tif 000022
【図１０Ｄ】
2018532053.tif 000023
【図１０Ｅ】
2018532053.tif 000024
【図１０Ｆ】
2018532053.tif 000025
【図１０Ｇ】
2018532053.tif 000026
【図１０Ｈ】
2018532053.tif 000027
【図１０Ｉ】
2018532053.tif 000028
【図１０Ｊ】
2018532053.tif 000029
【図１０Ｋ】
2018532053.tif 000030
【図１０Ｌ】
2018532053.tif 000031
【図１０Ｍ】
2018532053.tif 000032
【図１１】
2018532053.tif 000033
【図１１Ａ】
2018532053.tif 000034
【国際調査報告】
2018532053.tif 000035
2018532053.tif 000036
2018532053.tif 000037